(57)【要約】【課題】  非使用時においても取り外すことがなく、長期間において雨や塵の付着が少ない自転車用フェイスガードを提供する点にある。【解決手段】  自転車に装着されるチャイルドシートの取っ手部に取り付けられる自転車用フェイスガードにおいて、前記取っ手部に取り付けられるクッション性を有する本体部６と、この本体部６の表面側に取り付けられるクッション性を有するフェイス受け止め部７と、前記本体部６を前記取っ手部に固定するための固定部８とからなり、前記本体部６をそれの内部に前記チャイルドシート及び取っ手部を上方から覆い被せることができる防水カバー９を収納可能な空間を有する袋体に構成し、前記防水カバー９を出し入れするために本体部６に形成した開口を開閉するための開閉手段１０を備えさせた。【選択図】        図１
0003107508.tif 000002
【実用新案登録請求の範囲】
【請求項１】
自転車に装着されるチャイルドシートの取っ手部に取り付けられる自転車用フェイスガードにおいて、前記取っ手部に取り付けられるクッション性を有する本体部と、この本体部の表面側に取り付けられるクッション性を有するフェイス受け止め部と、前記本体部を前記取っ手部に固定するための固定部とからなり、前記本体部をそれの内部に前記チャイルドシート及び取っ手部を上方から覆い被せることができる防水カバーを収納可能な空間を有する袋体に構成し、前記防水カバーを出し入れするために本体部に形成した開口を開閉するための開閉手段を備えさせてなる自転車用フェイスガード。
【請求項２】
前記防水カバーが、一端に開口を有し、かつ、開口周縁に絞り込み用のゴム紐を備えさせてなる袋状体からなり、前記袋状体を防水シートを含む複数のシートから構成してなる請求項１に記載の自転車用フェイスガード。
【請求項３】
前記本体部が正面視においてほぼ矩形状の袋体からなり、この袋体の下側辺に前記開口を形成してなる請求項１又は２に記載の自転車用フェイスガード。
【請求項４】
前記本体部の内部に、前記下側辺に形成された開口を通して前記防水カバーの特定部位を固定してなる請求項３に記載の自転車用フェイスガード。
【請求項５】
前記本体部の左右両端部が前記フェイス受け止め部の左右両端から左右方向両側に延出するように、該本体部の左右寸法を該フェイス受け止め部の左右寸法よりも大きく設定し、その本体部の左右の延出部のうちの少なくとも一方の表面にポケットを備えさせてなる請求項１〜４のいずれかに記載の自転車用フェイスガード。
【請求項６】
前記本体部に、該本体部を背負うことができる長さ調節部を備えた紐体を前記フェイス受け止め部とは反対側の面に前記固定部よりも左右方向外側に位置させて備えさせてなる請求項１〜５のいずれかに記載の自転車用フェイスガード。
【請求項７】
前記固定部が２本の紐からなり、これら紐及び前記紐体を前記本体部に対して着脱自在に構成してなる請求項６に記載の自転車用フェイスガード。
【請求項８】
前記紐の表面側に前記取っ手部に対する滑り止め手段を備えさせ、前記紐を前記取っ手部に巻き付けて締め付けることにより該紐に備えさせた滑り止め手段が該取っ手部に押し付けられて該取っ手部に対して該紐が回転することを阻止してなる請求項７に記載の自転車用フェイスガード。
【考案の詳細な説明】
【技術分野】
【０００１】
本考案は、自転車に装着されるチャイルドシートの取っ手部に取り付けて使用するための自転車用フェイスガードに関する。
【背景技術】
【０００２】
上記自転車用フェイスガードは、チャイルドシートに座っている幼児が、居眠りをしたり、急ブレーキをかけたときなどに顔を取っ手部にぶつけて怪我をすることがないように取っ手部を覆っておくために使用するものである。そして、従来の自転車用フェイスガードは、クッション性を有する本体と、この本体の表面に縫い付けられた動物の形をしたクッション性を有するフェイス受け止め部と、本体を取っ手部に固定するための一対の締め部材とから構成したものが提案されている（例えば、特許文献１参照）。
【特許文献１】登録実用新案第３０５１１６７号公報（図１、図２参照）
【考案の開示】
【考案が解決しようとする課題】
【０００３】
上記特許文献１の自転車用フェイスガードによれば、幼児をチャイルドシートに乗せていない場合や、自転車を屋根のない場所に置いておく非使用時の場合に、雨に濡れたり、塵が付着してしまう結果、早期に汚れてしまうことがあった。特に幼児の場合には、フェイスガードを舐めてしまうことがあり、使用しない場合には、フェイスガードを取り外しておき、使用する度に取り付けを行わなければならず、使用面において煩わしいものであり、改善の余地があった。
【０００４】
本考案が前述の状況に鑑み、解決しようとするところは、非使用時においても取り外すことがなく、長期間において雨や塵の付着が少ない自転車用フェイスガードを提供する点にある。
【課題を解決するための手段】
【０００５】
本考案は、前述の課題解決のために、自転車に装着されるチャイルドシートの取っ手部に取り付けられる自転車用フェイスガードにおいて、前記取っ手部に取り付けられるクッション性を有する本体部と、この本体部の表面側に取り付けられるクッション性を有するフェイス受け止め部と、前記本体部を前記取っ手部に固定するための固定部とからなり、前記本体部をそれの内部に前記チャイルドシート及び取っ手部を上方から覆い被せることができる防水カバーを収納可能な空間を有する袋体に構成し、前記防水カバーを出し入れするために本体部に形成した開口を開閉するための開閉手段を備えさせて、自転車用フェイスガードを構成した。
チャイルドシートに幼児を乗せていない場合や自転車を屋根のない場所に置いておく非使用時の場合には、本体部から防水カバーを取り出して、チャイルドシート及び取っ手部を上方から覆い被せることによって、フェイスガードは勿論のこと、チャイルドシートをもカバーして雨や塵がフェイスガード及びチャイルドシートに付着することを阻止することができる。しかも、チャイルドシートに幼児を乗せる場合には、本体部に防水カバーを収納することができる。又、チャイルドシートをも覆うことができる大きな防水カバーが収納された本体部は、防水カバーをクッション材として機能させることができ、衝撃力の緩和を一層図ることができる。又、開閉手段を備えさせておくことによって、収納された防水カバーが、走らせている自転車の振動などにより本体部から飛び出してしまうことを阻止することができる。
【０００６】
前記防水カバーが、一端に開口を有し、かつ、開口周縁に絞り込み用のゴム紐を備えさせてなる袋状体からなり、前記袋状体を防水シートを含む複数のシートから構成してもよい。
【０００７】
前記本体部が正面視においてほぼ矩形状の袋体からなり、この袋体の下側辺に前記開口を形成してもよい。
【０００８】
前記本体部の内部に、前記下側辺に形成された開口を通して前記防水カバーの特定部位を固定してもよい。
【０００９】
前記本体部の左右両端部が前記フェイス受け止め部の左右両端から左右方向両側に延出するように、該本体部の左右寸法を該フェイス受け止め部の左右寸法よりも大きく設定し、その本体部の左右の延出部のうちの少なくとも一方の表面にポケットを備えさせてもよい。
【００１０】
前記本体部に、該本体部を背負うことができる長さ調節部を備えた紐体を前記フェイス受け止め部とは反対側の面に前記固定部よりも左右方向外側に位置させて備えさせてもよい。
【００１１】
前記固定部が２本の紐からなり、これら紐及び前記紐体を前記本体部に対して着脱自在に構成してもよい。
【００１２】
前記紐の表面側に前記取っ手部に対する滑り止め手段を備えさせ、前記紐を前記取っ手部に巻き付けて締め付けることにより該紐に備えさせた滑り止め手段が該取っ手部に押し付けられて該取っ手部に対して該紐が回転することを阻止するようにしてもよい。
【考案の効果】
【００１３】
本体部を、それの内部に前記チャイルドシート及び取っ手を上方から覆い被せることができる防水カバーを収納可能な空間を有する袋体に構成することによって、チャイルドシートに幼児を乗せていない場合や自転車を屋根のない場所に置いておく非使用時の場合には、本体部から防水カバーを取り出して、チャイルドシート及び取っ手部を上方から覆い被せることによって、フェイスガードは勿論のこと、チャイルドシートをもカバーして雨や塵がフェイスガード及びチャイルドシートに付着することを阻止することができ、長期間に渡って良好に使用することが可能な自転車用フェイスガードとすることができる。しかも、チャイルドシートに幼児を乗せる場合には、本体部に防水カバーを収納することができるだけでなく、その収納された防水カバーをクッション材として機能させることができ、使用面において優れた自転車用フェイスガードとすることができる。又、開閉手段を備えさせておくことによって、収納された防水カバーが、走らせている自転車の振動などにより本体部から飛び出してしまうことを阻止することができ、信頼性の高いものにすることができる。
【００１４】
防水カバーを、一端に開口を有し、かつ、開口周縁に絞り込み用のゴム紐を備えさせてなる袋状体から構成することによって、防水カバーをチャイルドシートに上方から覆い被せるだけで、下側の開口周縁がゴム紐によって絞り込まれて固定することができ、特別な固定手段を不要にすることができる。又、袋状体を防水シートを含む複数のシートから構成することによって、クッション性を高めることができるだけでなく、強度面においても有利になる。
【００１５】
本体部が正面視においてほぼ矩形状の袋体からなり、この袋体の下側辺に開口を形成することによって、開口が外部から容易に見えることがないだけでなく、開口を開閉する開閉手段が例えばファスナーやホックなどから構成する場合に、それらに顔をぶつけることがなく、意匠面及び使用面において有利になる。
【００１６】
本体部の内部に、下側辺に形成された開口を通して防水カバーの特定部位を固定することによって、下側から取り出した防水カバーを取っ手部の自転車用フェイスガードが取り付けられた前面側とは反対側である背面側から上方へ持ち上げた後、チャイルドシートの背板部側から下方へ下げることによって、自転車用フェイスガード及びチャイルドシートを一挙に覆うことができる。
【００１７】
本体部の左右両端部がフェイス受け止め部の左右両端から左右方向両側に延出するように、本体部の左右寸法をフェイス受け止め部の左右寸法よりも大きく設定し、その本体部の左右の延出部のうちの少なくとも一方の表面にポケットを備えさせることによって、おもちゃやお菓子などをポケットに収納することができる。しかも、表面側にポケットを備えさせることによって、チャイルドシートに乗っている幼児がポケットから収納されたものを容易に取り出すことができる。
【００１８】
本体部に、本体部を背負うことができる長さ調節部を備えた紐体をフェイス受け止め部とは反対側の面に固定部よりも左右方向外側に位置させて備えさせることによって、自転車用フェイスガードをリュックサックとして使用することができる。
固定部を２本の紐から構成し、これら紐及び紐体を本体部に対して着脱自在に構成することによって、自転車用フェイスガードとして使用する場合には、不要となる紐体を取り外しておくこができ、又、リュックサックとして使用する場合には、不要となる紐を取り外しておくことができ、便利に使用することができる自転車用フェイスガードにすることができる。
又、紐の表面側に取っ手部に対する滑り止め手段を備えさせておくことによって、取っ手部に対して紐が回転してフェイスガードが不測に移動することがなく、常に同一箇所にフェイスガードを位置させてチャイルドシートに乗っている幼児の顔を確実に受け止めることができ、商品の完成度を高めることができる。
【考案を実施するための最良の形態】
【００１９】
図１に、自転車用フェイスガード（以下、フェイスガードという）を示している。このフェイスガードは、図２に示すように、自転車のハンドル１付近に取り付けられたフロント側のチャイルドシート２の前方側に備えている取っ手部（ハンドル）３の左右方向ほぼ中央に取り付けたり、図３に示すように、自転車の荷台側に取り付けられて使用されるリア側のチャイルドシート４の前方側に備えている取っ手部５（ハンドル）の左右方向ほぼ中央に取り付けて使用されている。
【００２０】
前記フェイスガードは、取っ手部３，５に取り付けられるクッション性を有する本体部６と、この本体部６の表面側に取り付けられるクッション性を有するフェイス受け止め部７と、前記本体部６を前記取っ手部３，５に固定するための固定部８とからなっている。前記フェイス受け止め部７が熊の顔となっているが、他の動物でもよいし、動物以外のものであってもよく、フェイス受け止め部７の形状は、自由に変更することができる。
【００２１】
前記本体部６は、柔軟性を有するスポンジや発泡性合成樹脂あるいは綿などを内装すると共に正面視においてほぼ矩形状の布製の袋体からなっている。この袋体６は、チャイルドシート２，４及び取っ手部３，５を上方から覆い被せることができる大きさに設定された防水カバー９を収納可能な空間を有しており、前記防水カバー９を出し入れするために本体部６の下側辺に形成した開口６Ａを開閉するための開閉手段１０を備えさせている。前記開閉手段１０は、本体部６の開口縁部に沿って左右にそれぞれ対向位置させて一列状に取り付けた多数の務歯１０Ａと、該両務歯同士を互いに噛み合わせたり離脱させたりして開閉するためのファスナー１０Ｂとからなっているが、ボタンやホックあるいは面ファスナーなどから開閉手段１０を構成してもよい。前記開閉手段１０を、例えば本体部６の上側辺に備えさせた場合には、外部から容易に見えるだけでなく、誤って顔を開閉手段１０にぶつけてしまうことになるが、前記のように開閉手段１０を本体部６の下側辺に備えさせることによって、外部から見えにくくすることができるだけでなく、誤って顔を開閉手段１０にぶつけてしまうことをも回避することができる。
【００２２】
前記防水カバー９を前記本体部６に入れておくことによって、クッション材として機能させることができ、又、チャイルドシート２，４に幼児を乗せない場合には、図２及び図３に示すように、チャイルドシート２，４及び取っ手部３，５を上方から覆い被せることによって、フェイスガードは勿論のことチャイルドシート２，４をも覆うことができ、雨が当たったり、塵が付着することがないようにすることができる。前記防水カバー９は、一端に開口９Ａを有し、かつ、開口周縁に絞り込み用のゴム紐９Ｂを備えさせてなる袋状体からなり、図示していないが、前記袋状体９を防水シートを含む複数のシートを重ね合わせて構成することによって、フェイスガードのクッション性を高めることができるだけでなく、防水カバー９の耐久性をも高めることができる利点がある。
【００２３】
図４に示すように、前記防水カバー９の特定部位、つまり開口９Ａの一箇所を、本体部の内部に前記下側辺に形成された開口６Ａを通して挿入した状態で固定し（縫い付け）てもよい。このように構成することによって、図１〜図３に示した別々の構成では、防水カバー９が無くなってしまうことがないだけでなく、チャイルドシート２，４から防水カバー９が何らかの原因で外れたとしても、風などで飛んで行ってしまうことがない。又、下側辺の開口６Ａから防水カバー９を取り出して、取っ手部５のフェイスガードが取り付けられた前面側とは反対側である背面側から上方へ持ち上げた後、チャイルドシート４の背板部側から下方へ下げることによって、フェイスガード及びチャイルドシート４を一挙に覆うことができる利点がある。
【００２４】
前記固定部８を、前記本体部６の表裏両面のうちのフェイス受け止め部７が取り付けられている側とは反対側の裏面に、左右方向で適当間隔を置いて上下方向に沿う姿勢で縫い付けられた左右一対の紐８Ａ，８Ａからなり、これら２本の紐８Ａ，８Ｂを取っ手部３，５に巻き付けて両端を結ぶことにより、フェイスガードを取っ手部３，５に固定することができるようになっているが、面ファスナーなどの他の方法にて固定部８を構成してもよい。
【００２５】
図１〜図４に示しているように、前記本体部６の左右両端部が前記フェイス受け止め部７の左右両端から左右方向両側に延出するように、該本体部６の左右寸法を該フェイス受け止め部７の左右寸法よりも大きく設定しているが、フェイス受け止め部７を本体部６と同じ大きさあるいはそれよりも大きな寸法に設定して実施することもできる。
そして、図５に示すように、前記本体部６の左右の延出部６Ｅ，６Ｅのうちの両方（片方だけでもよい）の表面に蓋付きのポケット１１，１１を備えさせることによって、これらポケット１１，１１にお菓子やおもちゃを入れることができ、例えば、図６に示すように、本体部６の裏面の前記紐８Ａ，８Ｂよりも左右方向外側に位置する２箇所に、長さ調節部１２Ａを備えた紐体１２をそれぞれ備えさせることによって、フェイスガードをリュックサックとして使用することができるようにしてもよい。この場合、前記紐８Ａ，８Ｂを通すと共に抜き取ることができる上下一対の第１ループ形成部材１３，１３及び紐体１２，１２を通すと共に抜き取ることができる上下一対の第２ループ形成部材１４，１４を本体部６の裏面に縫い付けておくことによって、フェイスガードとして使用する場合には、不要となる紐体１２，１２を取り外しておくことができ、又、リュックサックとして使用する場合には、不要となる紐８Ａ，８Ｂを取り外しておくことができるようにしてもよい。尚、図６に示す１５は、各紐体１２の両端を連結したり連結解除することができる連結部材である。
【００２６】
図７及び図８（ａ），（ｂ）に示すように、前記紐８Ａ，８Ｂの取っ手部３，５側表面に該取っ手部３，５に対する滑り止め手段１６を備えさせて、紐８Ａ，８Ｂを取っ手部３，５に巻き付けて締め付けることにより該紐８Ａ，８Ｂに備えさせた滑り止め手段１６が該取っ手部３，５に押し付けられて該取っ手部３，５に対して該紐８Ａ，８Ｂが回転することを阻止することができるようにしてもよい。図７では、本体部６の裏面に左右方向に長い帯状の所定範囲に滑り止め手段１６を備えさせた場合を示し、図８（ａ），（ｂ）では、２本の紐８Ａ，８Ｂにそれぞれ上下方向に長いゴムや軟質性合成樹脂などでなる板状部材１６Ａを固定して滑り止め手段１６を構成した場合を示している。図８（ａ），（ｂ）の場合には、図７に比べて材料費の削減を図ることができるだけでなく、取っ手部３，５に巻き付けて紐８Ａ，８Ｂにて締め付け固定することによって、板状部材１６を取っ手部３，５に押し付けて取っ手部３，５に対する紐８Ａ，８Ｂの回転を確実に阻止することができる利点がある。前記滑り止め手段１６は、ゴム又は合成樹脂あるいはそれら複合材料を溶融し、その溶融状態でメッシュ状や縞模様状に吹き付けて固化させることにより、フェイスガードに備えさせたり、前記のようにゴム又は合成樹脂あるいはそれら複合材料により板状部材を成形し、その成形された板状部材をフェイスガードに縫い付ける、又は接着剤にて固定することになる。
【図面の簡単な説明】
【００２７】
【図１】フェイスガードの斜視図である。
【図２】フェイスガードを装着したフロント側のチャイルドシートに防水カバーを覆う直前の状態を示す斜視図である。
【図３】フェイスガードを装着したリア側のチャイルドシートに防水カバーを覆う直前の状態を示す斜視図である。
【図４】防水カバーをフェイスガードに一体的に連結した状態の斜視図である。
【図５】別の構成のフェイスガードの正面図である。
【図６】別の構成のフェイスガードの背面図である。
【図７】滑り止め手段を備えた別の構成のフェイスガードの背面図である。
【図８】別の滑り止め手段を備えた別の構成のフェイスガードを示し、（ａ）はそれの背面図、（ｂ）は取っ手部にフェイスガードを固定した状態を示す断面図である。
【符号の説明】
【００２８】
１  ハンドル
２，４  チャイルドシート
３，５  取っ手部
６Ａ  開口
６  本体部（袋体）
７  フェイス受け止め部
８  固定部
９Ｂ  ゴム紐
９Ａ  開口
９  防水カバー（袋状体）
１０Ｂ  ファスナー
１０  開閉手段
１０Ａ  務歯
１１  ポケット
１２  紐体
１２Ａ  調節部
１３，１４    ループ形成部材
１５  連結部材
１６  滑り止め手段
１６Ａ  板状部材
【図１】
0003107508.tif 000003
【図２】
0003107508.tif 000004
【図３】
0003107508.tif 000005
【図４】
0003107508.tif 000006
【図５】
0003107508.tif 000007
【図６】
0003107508.tif 000008
【図７】
0003107508.tif 000009
【図８】
0003107508.tif 000010